(57)【特許請求の範囲】
【請求項１】
柔軟性のある吸水性材料からなる汚液吸収部材を内視鏡の操作部の外表面部分に着脱自在に設けて、上記操作部付近に設けられた鉗子チャンネルの入口を覆う状態に上記汚液吸収部材を配置したことを特徴とする内視鏡の汚液飛散防止具。
【請求項２】
上記汚液吸収部材が上記操作部の外表面に貼着される請求項１記載の内視鏡の汚液飛散防止具。
【請求項３】
上記鉗子チャンネルの入口部分が上記操作部から突出していて、その突出部に係合する孔が上記汚液吸収部材に形成されている請求項１記載の内視鏡の汚液飛散防止具。
【発明の詳細な説明】
【０００１】
【発明の属する技術分野】
この発明は、鉗子チャンネルの入口からの体腔内汚液の飛散を防止するための内視鏡の汚液飛散防止具に関する。
【０００２】
【従来の技術】
内視鏡には一般に、処置具類を通すための鉗子チャンネルが挿入部内に挿通されていて、その先端出口は挿入部の先端において開口し、基端入口は操作部において開口している。
【０００３】
ただし、そのままでは、体腔内の圧力によって体腔内の汚液が鉗子チャンネル内を通って操作部側の入口開口から噴出し、術者やその周囲を汚染してしまうことになる。
【０００４】
そこで、そのような汚液噴出を阻止し、且つ鉗子チャンネルに対する処置具の挿脱を行うことができるように、鉗子チャンネルの入口開口部には、例えばスリットが形成されたゴム弁からなるいわゆる鉗子栓が装着されている。
【０００５】
【発明が解決しようとする課題】
しかし、鉗子栓に処置具が通されると、ゴム弁のスリットが押し広げられてスリットの端の方の部分では処置具の外周面との間に隙間ができ、その部分から汚液が噴出する場合が少なくない。特に、コイルパイプをシースとする処置具の場合は、外周面に螺旋状に隙間があるので汚液が噴出し易い。
【０００６】
また、シース内に操作ワイヤ等が進退自在に挿通された処置具の場合には、シースと操作ワイヤとの間に隙間があるので、その部分を通って汚液が噴出する場合がある。
【０００７】
そのようにして、体腔内汚液が鉗子チャンネルの入口側から噴出すると、術者の顔や手に汚液がかかったり、周囲に飛散して非常に不衛生な状態になってしまう場合があるが、そのような体腔内汚液の噴出を完全に防止するのは困難である。
【０００８】
そこで本発明は、鉗子チャンネルの入口から体腔内汚液が外方に飛び散らず、内視鏡検査を衛生的に行うことができる内視鏡の汚液飛散防止具を提供することを目的とする。
【０００９】
【課題を解決するための手段】
上記の目的を達成するため、本発明の内視鏡の汚液飛散防止具は、柔軟性のある吸水性材料からなる汚液吸収部材を内視鏡の操作部の外表面部分に着脱自在に設けて、上記操作部付近に設けられた鉗子チャンネルの入口を覆う状態に上記汚液吸収部材を配置したことを特徴とする。
【００１０】
なお、上記汚液吸収部材が上記操作部の外表面に貼着されるようにしてもよく、上記鉗子チャンネルの入口部分が上記操作部から突出していて、その突出部に係合する孔が上記汚液吸収部材に形成されていてもよい。
【００１１】
【発明の実施の形態】
図面を参照して本発明の実施の形態を説明する。
図１において、１は内視鏡の操作部であり、その下端部に、体腔内に挿入される挿入部２が連結されている。
【００１２】
挿入部２内には、その先端に開口する鉗子チャンネル４が全長にわたって挿通されている。そして、鉗子チャンネル４の基端側は、操作部１の下端部に斜め上方に向けて突設された突出部３の先端に開口形成された処置具挿入口５に連通している。
【００１３】
処置具挿入口５のすぐ内側の突出部３内には、通常は閉じていて、処置具挿入口５から鉗子チャンネル４内へ処置具が挿通されたときだけ押し開かれる鉗子栓６が配置されている。
【００１４】
操作部１の上半部には、送気送水操作弁７と吸引操作弁８とが前面側に配置され、挿入部２の先端近傍に形成された湾曲部（図示せず）を遠隔的に屈曲操作するための湾曲操作ノブ９が、側面に配置されている。その部分と操作部１の下端部との間は握り部１ａになっている。
【００１５】
２０は内視鏡の汚液飛散防止具であり、図２に示されるように、例えば柔軟性のあるガーゼ等の吸水性材料を折り返して複数枚重ね合わせて形成された汚液吸収部材２１の中央部分を、広がらないよいうに糸で縫い合わせてある。
【００１６】
その糸２３部分に沿った断面を示す図３にも示されるように、糸２３で縫い合わされた部分に沿って汚液吸収部材２１の表面には、汚液飛散防止具２０を操作部１に係止するための、例えば両面粘着テープからなる係止部材２２が貼着されている。
【００１７】
ただし、図３に示されるように、両面粘着テープ２２の操作部１に貼り付けられる側の面には、粘着テープ２２に対して容易に剥がれる保護シート２５が付けられていて、操作部１に取り付ける直前に剥がすようになっている。
【００１８】
このように形成された汚液飛散防止具２０は、使用時には、保護シート２５を取り外してから、図１に示されるように、係止部材２２を操作部１の突出部３のすぐ上の前面側の外表面に貼り付け、処置具挿入口５部分に汚液吸収部材２１の半部を被せる。
【００１９】
そのようにすることにより、鉗子チャンネル４を通ってきた体腔内の汚液が処置具挿入口５から外へ噴出しても、汚液吸収部材２１に吸い取られるので、周囲に飛散したり術者の手や顔にかかったりしない。
【００２０】
また、汚液吸収部材２１の残りの半部は操作部１の握り部１ａに沿わせて、握り部１ａと一緒に握るとよい。そのようにすることにより、汚液が手に伝わるのを防止することができると共に、操作部１の保持が滑らなくなって持ち易くなり、また、汚液吸収部材２１が安定して保持される。
【００２１】
なお、図４に示されるように、汚液吸収部材２１の両側の半部が共に処置具挿入口５を覆うように配置してもよい。この場合には、握り部１ａを握った術者の手の小指で汚液吸収部材２１を軽く押さえて保持することができる。このようにすることにより、処置具挿入口５から漏出する汚液に対する吸水力がより大きくなる。
【００２２】
処置具挿入口５から鉗子チャンネル４内に処置具を挿入して使用する際には、図５に示されるように、汚液吸収部材２１で処置具１００の周囲を囲むようにすれば、周囲への汚液の飛散を防ぐことができる。
【００２３】
図６ないし図８は本発明の第２の実施の形態を示しており、係止部材２２として一面粘着テープを用いたものである。この実施の形態の係止部材２２は、使用前の状態では図７に示されるように折り畳まれている。
【００２４】
そして使用時には、先端に形成された非接着性の摘み部２６を外方に引っ張ることにより、係止部材２２が引き出されて、図８に示されるように操作部１の外表面に貼着することができる。
【００２５】
なお図８では、汚液吸収部材２１の半部が操作部１の握り部１ａに沿わされて握り部１ａと一緒に握られているが、第１の実施の形態における図４に示される状態のように、汚液吸収部材２１の両側の半部を共に処置具挿入口５に被せてもよい。また、第１の実施の形態における図５に示される状態のように、処置具１００使用時には汚液吸収部材２１で処置具１００の周囲を囲むようにするとよい。
【００２６】
図９ないし図１３は本発明の第３の実施の形態を示しており、図９におけるＸＩ−ＸＩ断面を示す図１１に示されるように、汚液吸収部材として吸水性のある布（又は不織布）２１ａの内側にそれより吸水性の高い物質２１ｂ（例えば高分子含水性ポリマー）を配置して、裏面には、図１０に示されるように、防水性の布（又は紙）２８をあてがったものである。
【００２７】
係止部材２２としては、図９に示されるように表面側に両面粘着テープが貼り付けられており、使用時には、図１２に示されるように、係止部材２２が操作部１の突出部３のすぐ上の部分の外表面に貼着される。
【００２８】
このようにして、この実施の形態の場合にも、図１２に示されるように処置具挿入口５を汚液吸収部材２１で覆うことができ、処置具使用時には、図１３に示されるように、処置具挿入口５に挿入される処置具１００を汚液吸収部材２１で上側から包む状態にすることができる。
【００２９】
図１４及び図１５は本発明の第４の実施の形態を示しており、係止部材２２として、操作部１の突出部３に係合する孔を汚液吸収部材２１に穿設したものである。図１４は汚液飛散防止具２０の正面図、図１５は、孔２２に突出部３が通された使用状態である。このように、係止部材２２としては、汚液吸収部材２１を操作部１に係止することができる手段であれば、どのような手段を用いてもよい。
【００３０】
【発明の効果】
本発明によれば、柔軟性のある吸水性材料からなる汚液吸収部材を内視鏡の操作部の外表面部分に着脱自在に設けて鉗子チャンネルの入口を覆う状態に汚液吸収部材を配置したので、鉗子チャンネルの入口から体腔内汚液が外方に飛び散らず、内視鏡検査を衛生的に行うことができる。そして、汚液飛散防止具は、必要に応じて容易に取り付け取り外し及び交換することができる。
【図面の簡単な説明】
【図１】本発明の第１の実施の形態の汚液飛散防止具が操作部に取り付けられた使用状態の側面図である。
【図２】本発明の第１の実施の形態の汚液飛散防止具の斜視図である。
【図３】本発明の第１の実施の形態の汚液飛散防止具の  ＩＩＩ−ＩＩＩ  断面図である。
【図４】本発明の第１の実施の形態の汚液飛散防止具が操作部に取り付けられた異なる使用状態の側面図である。
【図５】本発明の第１の実施の形態の汚液飛散防止具が操作部に取り付けられた状態で処置具が使用されている状態の部分正面図である。
【図６】本発明の第２の実施の形態の汚液飛散防止具の正面図である。
【図７】本発明の第２の実施の形態の汚液飛散防止具の係止部材の斜視図である。
【図８】本発明の第２の実施の形態の汚液飛散防止具が操作部に取り付けられた使用状態の側面図である。
【図９】本発明の第３の実施の形態の汚液飛散防止具の正面図である。
【図１０】本発明の第３の実施の形態の汚液飛散防止具の背面図である。
【図１１】本発明の第３の実施の形態の汚液飛散防止具のＸＩ−ＸＩ断面図である。
【図１２】本発明の第３の実施の形態の汚液飛散防止具が操作部に取り付けられた使用状態の部分側面図である。
【図１３】本発明の第３の実施の形態の汚液飛散防止具が操作部に取り付けられた状態で処置具が使用されている状態の側面図である。
【図１４】本発明の第４の実施の形態の汚液飛散防止具の正面図である。
【図１５】本発明の第４の実施の形態の汚液飛散防止具が操作部に取り付けられた使用状態の一部を断面して示す側面図である。
【符号の説明】
１  操作部
２  挿入部
４  鉗子チャンネル
５  処置具挿入口
６  鉗子栓
２０  汚液飛散防止具
２１  汚液吸収部材
２２  係止部材
【図１】
0003554442.tif 000002
【図２】
0003554442.tif 000003
【図３】
0003554442.tif 000004
【図４】
0003554442.tif 000005
【図５】
0003554442.tif 000006
【図６】
0003554442.tif 000007
【図７】
0003554442.tif 000008
【図８】
0003554442.tif 000009
【図９】
0003554442.tif 000010
【図１０】
0003554442.tif 000011
【図１１】
0003554442.tif 000012
【図１２】
0003554442.tif 000013
【図１３】
0003554442.tif 000014
【図１４】
0003554442.tif 000015
【図１５】
0003554442.tif 000016